【手続補正書】
【提出日】平成27年12月21日(2015.12.21)
【手続補正１】
【補正対象書類名】特許請求の範囲
【補正対象項目名】全文
【補正方法】変更
【補正の内容】
【特許請求の範囲】
【請求項１】
ワイヤレス通信のための方法であって、
第１のユーザデバイスで、フィードバック報告を生成することと、ここで、前記フィードバック報告は、シングルユーザ（ＳＵ）通信およびマルチユーザ（ＭＵ）通信の両方についてのフィードバックを有する単一のプリコーディング行列情報（ＰＭＩ）を備え、前記ＰＭＩの第１の層は、スケジューリング装置から前記第１のユーザデバイスへの前記ＳＵ通信のパフォーマンスを示す第１のチャネル品質インジケータ（ＣＱＩ）を備え、前記ＰＭＩの第２の層は、前記スケジューリング装置による前記第１のユーザデバイスへの別の予想送信と同時に実行される、前記スケジューリング装置による第２のユーザデバイスへの予想送信を備える前記ＭＵ通信のパフォーマンスを示す第２のＣＱＩを備える、
前記フィードバック報告を前記スケジューリング装置に送信することと
を備える方法。
【請求項２】
前記ＰＭＩが、前記スケジューリング装置による複数の同時送信に関連した複数の層を示し、
前記ＰＭＩが、潜在的な同時送信のために前記スケジューリング装置で使用され、
前記ＰＭＩの行列構造の各列が、前記層のうちの１つを示す、請求項１に記載の方法。
【請求項３】
前記ＰＭＩが、前記予想送信および前記別の予想送信のために前記スケジューリング装置で使用される、請求項１に記載の方法。
【請求項４】
前記フィードバック報告の構造が、前記第２のユーザデバイスによって前記スケジューリング装置に送信される別のフィードバック報告の構造とマッチングされる、請求項１に記載の方法。
【請求項５】
前記ＳＵ通信だけに合わせて調整された他のプリコーディング情報と比較して、定義されたパフォーマンス範囲内にあるプリコーディング情報のセットを識別すること
をさらに備え、
ここで、前記フィードバック報告が、前記ＭＵ通信のパフォーマンスが特定のレベルにあるように前記セットからの選択されたプリコーディング情報を備える、請求項１に記載の方法。
【請求項６】
前記フィードバック報告の中に定義された値のランクインジケータ（ＲＩ）を含むことによって、前記フィードバック報告が前記ＭＵ通信のうちの１つに関連することをシグナリングすること
をさらに備える、請求項１に記載の方法。
【請求項７】
前記フィードバック報告の中に前記第１のＣＱＩまたは前記第２のＣＱＩの定義された値を含むことによって、前記フィードバック報告が前記ＭＵ通信のうちの１つに関連することをシグナリングすること
をさらに備え、
ここで、前記第１のＣＱＩまたは前記第２のＣＱＩの前記定義された値が、前記第１のユーザデバイスで測定された前記第２のユーザデバイスへの前記送信から生じた干渉を示す、請求項１に記載の方法。
【請求項８】
前記フィードバック報告が、前記送信および前記別の予想送信のために前記スケジューリング装置により潜在的に使用されるべきプリコーディング情報を備え、
前記プリコーディング情報が、プリコーディング情報のセットの中で好ましいものとして選択される、請求項１に記載の方法。
【請求項９】
無線リソース制御（ＲＲＣ）シグナリングに基づいて、前記スケジューリング装置から、プリコーディング情報の前記セットについてのシグナリングを受信すること
をさらに備える、請求項８に記載の方法。
【請求項１０】
前記ＰＭＩの行列構造の列が、前記スケジューリング装置から前記第２のユーザデバイスへの前記送信に関連した層を示し、
前記行列構造の他の列が、前記スケジューリング装置から前記第１のユーザデバイスへの別の予想送信に関連した前記別の送信に関連した他の層を示す、請求項１に記載の方法。
【請求項１１】
前記第１のＣＱＩおよび前記第２のＣＱＩが、インターレース上の通信に関連した干渉のレベルを示し、
前記第１のＣＱＩと前記第２のＣＱＩとの前記組合せが、前記インターレース上の前記フィードバック報告に関連したランクを運搬する、請求項１に記載の方法。
【請求項１２】
ワイヤレス通信のための装置であって、
フィードバック報告を生成するための手段と、ここで、前記フィードバック報告は、シングルユーザ（ＳＵ）通信およびマルチユーザ（ＭＵ）通信の両方についてのフィードバックを有する単一のプリコーディング行列情報（ＰＭＩ）を備え、前記ＰＭＩの第１の層は、スケジューリング装置から前記装置への前記ＳＵ通信のパフォーマンスを示す第１のチャネル品質インジケータ（ＣＱＩ）を備え、前記ＰＭＩの第２の層は、前記スケジューリング装置による前記装置への別の予想送信と同時に実行される、前記スケジューリング装置による別の装置への予想送信を備える前記ＭＵ通信のパフォーマンスを示す第２のＣＱＩを備える、
前記フィードバック報告を前記スケジューリング装置に送信するための手段と
を備える装置。
【請求項１３】
前記ＰＭＩが、前記スケジューリング装置による複数の同時送信に関連した複数の層を示し、
前記ＰＭＩが、潜在的な同時送信のために前記スケジューリング装置で使用され、
前記ＰＭＩの行列構造の各列は、前記層のうちの１つを示す、請求項１２に記載の装置。
【請求項１４】
前記ＰＭＩが、前記予想送信および前記別の予想送信のために前記スケジューリング装置で使用される、請求項１２に記載の装置。
【請求項１５】
前記フィードバック報告の構造が、前記別の装置によって前記スケジューリング装置に送信される別のフィードバック報告の構造とマッチングされる、請求項１２に記載の装置。
【請求項１６】
前記ＳＵ通信だけに合わせて調整された他のプリコーディング情報と比較して、定義されたパフォーマンス範囲内にあるプリコーディング情報のセットを識別すること
をさらに備え、
ここで、前記フィードバック報告が、前記ＭＵ通信のパフォーマンスが特定のレベルにあるように前記セットからの選択されたプリコーディング情報を備える、請求項１２に記載の装置。
【請求項１７】
前記フィードバック報告の中に定義された値のランクインジケータ（ＲＩ）を含むことによって、前記フィードバック報告が前記ＭＵ通信のうちの１つに関連することをシグナリングすること
をさらに備える、請求項１２に記載の装置。
【請求項１８】
前記フィードバック報告の中に前記第１のＣＱＩまたは前記第２のＣＱＩの定義された値を含むことによって、前記フィードバック報告が前記ＭＵ通信のうちの１つに関連することをシグナリングするための手段
をさらに備え、
ここで、前記第１のＣＱＩまたは前記第２のＣＱＩの前記定義された値が、前記装置で測定された前記別の装置への送信から生じた干渉を示す、請求項１２に記載の装置。
【請求項１９】
前記フィードバック報告が、前記送信および前記別の予想送信のために前記スケジューリング装置により潜在的に使用されるべきプリコーディング情報を備え、
前記プリコーディング情報が、プリコーディング情報のセットの中で好ましいものとして選択される、請求項１２に記載の装置。
【請求項２０】
無線リソース制御（ＲＲＣ）シグナリングに基づいて、前記スケジューリング装置から、プリコーディング情報の前記セットについてのシグナリングを受信するための手段
をさらに備える、請求項１９に記載の装置。
【請求項２１】
前記ＰＭＩの行列構造の列が、前記スケジューリング装置から前記第２のユーザデバイスへの前記送信に関連した層を示し、
前記行列構造の他の列が、前記スケジューリング装置から前記第１のユーザデバイスへの前記別の予想送信に関連した他の層を示す、請求項１２に記載の装置。
【請求項２２】
前記第１のＣＱＩおよび前記第２のＣＱＩが、インターレース上の通信に関連した干渉のレベルを示し、
前記第１のＣＱＩと前記第２のＣＱＩとの前記組合せが、前記インターレース上の前記フィードバック報告に関連したランクを運搬する、請求項１２に記載の装置。
【請求項２３】
ワイヤレス通信のための装置であって、
フィードバック報告を生成するように構成された第１の回路と、ここで、前記フィードバック報告は、シングルユーザ（ＳＵ）通信およびマルチユーザ（ＭＵ）通信の両方についてのフィードバックを有する単一のプリコーディング行列情報（ＰＭＩ）を備え、前記ＰＭＩの第１の層は、スケジューリング装置から前記装置への前記ＳＵ通信のパフォーマンスを示す第１のチャネル品質インジケータ（ＣＱＩ）を備え、前記ＰＭＩの第２の層は、前記スケジューリング装置による前記装置への別の予想送信と同時に実行される、前記スケジューリング装置による別の装置への予想送信を備える前記ＭＵ通信のパフォーマンスを示す第２のＣＱＩを備える、
前記フィードバック報告を前記スケジューリング装置に送信するように構成された送信機と
を備える装置。
【請求項２４】
ワイヤレス通信のための実行可能命令を含む非一時的コンピュータ可読媒体であって、前記実行可能命令が、
第１のユーザデバイスで、フィードバック報告を生成するための命令と、ここで、前記フィードバック報告は、シングルユーザ（ＳＵ）通信およびマルチユーザ（ＭＵ）通信の両方についてのフィードバックを有する単一のプリコーディング行列情報（ＰＭＩ）を備え、前記ＰＭＩの第１の層は、スケジューリング装置から前記第１のユーザデバイスへの前記ＳＵ通信のパフォーマンスを示す第１のチャネル品質インジケータ（ＣＱＩ）を備え、前記ＰＭＩの第２の層は、前記スケジューリング装置による前記第１のユーザデバイスへの別の予想送信と同時に実行される、前記スケジューリング装置による第２のユーザデバイスへの予想送信を備える前記ＭＵ通信のパフォーマンスを示す第２のＣＱＩを備える、
前記フィードバック報告を前記スケジューリング装置に送信するための命令と
を備えるコンピュータ可読媒体。
【請求項２５】
少なくとも１つのアンテナと、
フィードバック報告を生成するように構成された第１の回路と、ここで、前記フィードバック報告は、シングルユーザ（ＳＵ）通信およびマルチユーザ（ＭＵ）通信の両方についてのフィードバックを有する単一のプリコーディング行列情報（ＰＭＩ）を備え、前記ＰＭＩの第１の層は、スケジューリング装置からアクセス端末への前記ＳＵ通信のパフォーマンスを示す第１のチャネル品質インジケータ（ＣＱＩ）を備え、前記ＰＭＩの第２の層は、前記スケジューリング装置による前記アクセス端末への別の予想送信と同時に実行される、アクセスポイントによる別のアクセス端末への予想送信を備える前記ＭＵ通信のパフォーマンスを示す第２のＣＱＩを備える、
前記少なくとも１つのアンテナを介して、前記フィードバック報告を前記アクセスポイントに送信するように構成された送信機と
を備えるアクセス端末。
【請求項２６】
ワイヤレス通信のための方法であって、
スケジューリング装置で、複数の装置の各々から、フィードバック報告を受信することと、ここで、前記フィードバック報告は、シングルユーザ（ＳＵ）通信およびマルチユーザ（ＭＵ）通信の両方についてのフィードバックを有する単一のプリコーディング行列情報（ＰＭＩ）を備え、前記ＰＭＩの第１の層は、前記スケジューリング装置からその装置への前記ＳＵ通信のパフォーマンスを示す第１のチャネル品質インジケータ（ＣＱＩ）を備え、前記ＰＭＩの第２の層は、前記スケジューリング装置によるその装置への別の予想送信と同時に実行される、前記スケジューリング装置による別の装置への予想送信を備える前記ＭＵ通信のパフォーマンスを示す第２のＣＱＩを備える
前記フィードバック報告に基づいて、前記装置のうちの少なくとも２つを、前記スケジューリング装置から前記少なくとも２つの装置への潜在的な同時送信のために識別することと
を備え、
ここで、前記少なくとも２つの装置のうちの第１のものから送信される第１のフィードバック報告における情報が、前記少なくとも２つの装置のうちの第２のものから送信される第２のフィードバック報告における情報とマッチする、方法。
【請求項２７】
識別することが、
前記第１のフィードバック報告の中で示されるプリコーディング情報を、前記第２のフィードバック報告の中で示される他のプリコーディング情報とマッチングすること
をさらに備え、
前記プリコーディング情報が前記第１の装置への送信のために使用され、前記他のプリコーディング情報が前記第２の装置への送信のために使用される、請求項２６に記載の方法。
【請求項２８】
前記フィードバック報告および定義されたエラー値に基づいて、前記少なくとも２つの装置との通信のパフォーマンスを評価すること
をさらに備える、請求項２６に記載の方法。
【請求項２９】
無線リソース制御（ＲＲＣ）シグナリングを使用して、前記装置の各々にプリコーディング情報のセットを示すこと
をさらに備え、
ここで、前記セットからの前記プリコーディング情報のうちの１つが、その装置への、および前記複数の装置のうちの別の装置への潜在的な同時送信のために前記スケジューリング装置によって使用されるべきその装置で選択される、請求項２６に記載の方法。
【請求項３０】
前記セットからの前記選択されたプリコーディング情報が、前記同時送信の前に前記スケジューリング装置によって潜在的に適用されるべきプリコーダのペアについての情報を備える、請求項２９に記載の方法。
【請求項３１】
前記第１のＣＱＩと前記第２のＣＱＩとの組合せが、インターレース上の通信に関連した干渉のレベルを示し、前記方法が、
前記第１のＣＱＩと前記第２のＣＱＩとの前記組合せに基づいて、前記インターレース上のそのフィードバック報告に関連したランクを判定すること
をさらに備える、請求項２６に記載の方法。
【請求項３２】
ワイヤレス通信のための装置であって、
複数の装置の各々から、フィードバック報告を受信するための手段と、ここで、前記フィードバック報告は、シングルユーザ（ＳＵ）通信およびマルチユーザ（ＭＵ）通信の両方についてのフィードバックを有する単一のプリコーディング行列情報（ＰＭＩ）を備え、前記ＰＭＩの第１の層は、前記装置から前記複数の装置のうちの１つへの前記ＳＵ通信のパフォーマンスを示す第１のチャネル品質インジケータ（ＣＱＩ）を備え、前記ＰＭＩの第２の層は、前記装置によるその装置への別の予想送信と同時に実行される、前記装置による前記複数の装置のうちの別のものへの予想送信を備える前記ＭＵ通信のパフォーマンスを示す第２のＣＱＩを備える、
前記フィードバック報告に基づいて、前記装置のうちの少なくとも２つを、前記装置から前記少なくとも２つの装置への潜在的な同時送信のために識別するための手段
を備え、
ここで、前記少なくとも２つの装置のうちの第１のものから送信される第１のフィードバック報告における情報が、前記少なくとも２つの装置のうちの第２のものから送信される第２のフィードバック報告における情報とマッチする、装置。
【請求項３３】
前記識別するための手段が、
前記第１のフィードバック報告の中で示されるプリコーディング情報を、前記第２のフィードバック報告の中で示される他のプリコーディング情報とマッチングするための手段
をさらに備え、
ここで、前記プリコーディング情報が前記第１の装置への送信のために使用され、前記他のプリコーディング情報が前記第２の装置への送信のために使用される、請求項３２に記載の装置。
【請求項３４】
前記フィードバック報告および定義されたエラー値に基づいて、前記少なくとも２つの装置との通信のパフォーマンスを評価するための手段
をさらに備える請求項３２に記載の装置。
【請求項３５】
無線リソース制御（ＲＲＣ）シグナリングを使用して、前記装置の各々にプリコーディング情報のセットを示すための手段
をさらに備え、
ここで、前記セットからの前記プリコーディング情報のうちの１つが、その装置への、および前記複数の装置のうちの別の装置への潜在的な同時送信のために前記装置によって使用されるべきその装置で選択される、請求項３２に記載の装置。
【請求項３６】
前記セットからの前記選択されたプリコーディング情報が、前記同時送信の前に前記装置によって潜在的に適用されるべきプリコーダのペアについての情報を備える、請求項３５に記載の装置。
【請求項３７】
前記第１のＣＱＩと前記第２のＣＱＩとの組合せが、インターレース上の通信に関連した干渉のレベルを示し、前記装置が、
前記第１のＣＱＩと前記第２のＣＱＩとの前記組合せに基づいて、前記インターレース上のそのフィードバック報告に関連したランクを判定するための手段
をさらに備える、請求項３２に記載の装置。
【請求項３８】
ワイヤレス通信のための装置であって、
複数の装置の各々から、フィードバック報告を受信するように構成された受信機と、ここで、前記フィードバック報告は、シングルユーザ（ＳＵ）通信およびマルチユーザ（ＭＵ）通信の両方についてのフィードバックを有する単一のプリコーディング行列情報（ＰＭＩ）を備え、前記ＰＭＩの第１の層は、前記装置から前記複数の装置のうちの１つへの前記ＳＵ通信のパフォーマンスを示す第１のチャネル品質インジケータ（ＣＱＩ）を備え、前記ＰＭＩの第２の層は、前記装置によるその装置への別の予想送信と同時に実行される、前記装置による前記複数の装置のうちの別のものへの予想送信を備える前記ＭＵ通信のパフォーマンスを示す第２のＣＱＩを備える、
前記フィードバック報告に基づいて、前記装置のうちの少なくとも２つを、前記装置から前記少なくとも２つの装置への潜在的な同時送信のために識別するように構成された第１の回路と
を備え、
ここで、前記少なくとも２つの装置のうちの第１のものから送信される第１のフィードバック報告における情報が、前記少なくとも２つの装置のうちの第２のものから送信される第２のフィードバック報告における情報とマッチする、装置。
【請求項３９】
ワイヤレス通信のための実行可能命令を含む非一時的なコンピュータ可読媒体であって、前記実行可能命令が、
スケジューリング装置で、複数の装置の各々から、フィードバック報告を受信するための命令と、ここで、前記フィードバック報告は、シングルユーザ（ＳＵ）通信およびマルチユーザ（ＭＵ）通信の両方についてのフィードバックを有する単一のプリコーディング行列情報（ＰＭＩ）を備え、前記ＰＭＩの第１の層は、前記スケジューリング装置から前記複数の装置のうちの１つへの前記ＳＵ通信のパフォーマンスを示す第１のチャネル品質インジケータ（ＣＱＩ）を備え、前記ＰＭＩの第２の層は、前記スケジューリング装置によるその装置への別の予想送信と同時に実行される、前記スケジューリング装置による前記複数の装置のうちの別のものへの予想送信を備える前記ＭＵ通信のパフォーマンスを示す第２のＣＱＩを備える、
前記フィードバック報告に基づいて、前記装置のうちの少なくとも２つを、前記スケジューリング装置から前記少なくとも２つの装置への潜在的な同時送信のために識別するための命令と
を備え、
ここで、前記少なくとも２つの装置のうちの第１のものから送信される第１のフィードバック報告における情報が、前記少なくとも２つの装置のうちの第２のものから送信される第２のフィードバック報告における情報とマッチする、コンピュータ可読媒体。
【請求項４０】
少なくとも１つのアンテナと、
複数の装置の各々から、前記少なくとも１つのアンテナを介して、フィードバック報告を受信するように構成された受信機と、ここで、前記フィードバック報告は、シングルユーザ（ＳＵ）通信およびマルチユーザ（ＭＵ）通信の両方についてのフィードバックを有する単一のプリコーディング行列情報（ＰＭＩ）を備え、前記ＰＭＩの第１の層は、アクセスポイントから前記複数の装置のうちの１つへの前記ＳＵ通信のパフォーマンスを示す第１のチャネル品質インジケータ（ＣＱＩ）を備え、前記ＰＭＩの第２の層は、前記アクセスポイントによるその装置への別の予想送信と同時に実行される、前記アクセスポイントによる前記複数の装置のうちの別のものへの予想送信を備える前記ＭＵ通信のパフォーマンスを示す第２のＣＱＩを備える、
前記フィードバック報告に基づいて、前記アクセス端末のうちの少なくとも２つを、前記アクセスポイントから前記少なくとも２つのアクセス端末への潜在的な同時送信のために識別するように構成された第１の回路と
を備え、
ここで、前記少なくとも２つの装置のうちの第１のものから送信される第１のフィードバック報告における情報が、前記少なくとも２つの装置のうちの第２のものから送信される第２のフィードバック報告における情報とマッチする、アクセスポイント。